(57)【要約】【課題】  本発明は、車椅子にテーブルを取付けることを課題とする。【解決手段】アームレスト４に支柱嵌着筒６を取付け、該支柱嵌着筒６内に支柱３を摺動可能に挿着し、該支柱３の先端部から外側にオフセットした位置に差出した軸受筒１２にテーブル本体２の回動軸１９を支持せしめる。【選択図】  図１
2007068826.tif 000002
【特許請求の範囲】
【請求項１】
車椅子のアームレストに取付けられるテーブルであって、アームレストに取付けられる支柱と、該支柱先端部に回動可能に取付けられているテーブル本体とからなり、該支柱はアームレストに取付けられている支柱嵌着筒内に根端部から摺動可能に挿着され、該支柱先端部から外側にオフセットした位置に軸受筒が差出され、該軸受筒に該テーブル本体の外端部下側の回動軸を軸支せしめたことを特徴とする車椅子用のテーブル。
【発明の詳細な説明】
【技術分野】
【０００１】
本発明は車椅子に着脱可能に取付けられるテーブルに関するものである。
【背景技術】
【０００２】
従来、車椅子のテーブル装置としては、アームレストに回転可能に取付けた支持棒の先端部にテーブルを取付けた構成が提供されている（例えば特許文献１）。
【０００３】
【特許文献１】特開２００３−１２６１６４号公報
【発明の開示】
【発明が解決しようとする課題】
【０００４】
上記構成では、テーブルを使用する時には、ストッパーによって水平状態に支持されるが、テーブルを水平状態に支持する位置が限定され、テーブルの位置を前後に調節することが出来なかった。
【課題を解決するための手段】
【０００５】
本発明は、上記従来の課題を解決するための手段として、車椅子のアームレスト４に取付けられるテーブル１であって、アームレスト４に取付けられる支柱３と、該支柱３先端部に回動可能に取付けられているテーブル本体２とからなり、該支柱３はアームレスト４に取付けられている支柱嵌着筒６内に根端部から摺動可能に挿着され、該支柱３先端部から外側にオフセットした位置に軸受筒１２が差出され、該軸受筒１２に該テーブル本体２の外端部下側の回動軸１９を軸支せしめた車椅子用のテーブルを提供するものである。
【発明の効果】
【０００６】
〔作用〕
アームレスト４に取付けられている支柱嵌着筒６内にテーブル１の支柱３を挿着する。該支柱３は該支柱嵌着筒６に対して摺動可能であるから、該支柱３を前後に摺動させてテーブル１の前後位置を調節することが出来る。
テーブル本体２下面は使用状態ではテーブル本体２下面を回動軸１９から若干内側よりでオフセットした位置にある支柱３によって支持されている。例えば使用者が車椅子に乗降する時には該テーブル本体２が干渉しないよう上方に回動させて跳ねのけ状態にする。
【０００７】
〔効果〕
本発明では、車椅子の使用者がコップや缶等の品物をテーブルの上に載せることが出来、該テーブルは前後位置が調節可能であり、また不使用時は該テーブル本体を上方に回動させて跳ねのけ状態にすれば、使用者の乗降に該テーブルが干渉しない。
【発明を実施するための最良の形態】
【０００８】
本発明を図１〜図６に示す一実施例によって説明すれば、テーブル１は本体２と角パイプ状の支柱３とからなる。４は車椅子のアームレストであって、車椅子の側フレーム５の上辺に取付けられており、該アームレスト４の下面には図２に示すようにボルト孔２１が設けられている。
【０００９】
６は支柱嵌着筒であって、角筒形状を有し、内側からはボルト孔８を有する取付けブラケット７が差出されており、外側面にはナット１０を溶接したボルト孔９が設けられている。
【００１０】
該支柱３は根端から該支柱嵌着筒６内に摺動可能に挿着されるが、先端部から外側に軸受筒支腕１１が差出され、該支腕１１の先端には支柱３に沿って軸受円筒１２が固着されている。
【００１１】
テーブル本体２外端中央部には切れ込み１３が形成され、該切れ込み１３の前後から一対の軸受１４，１５が垂設されている。更に該テーブル本体２の内端よりにはコップ立て孔部１６が設けられている。
【００１２】
上記支柱３の軸受円筒１２は両端にワッシャ１７，１８を介して上記テーブル本体２の一対の軸受１４，１５間に挿入され、該軸受１４，１５と該軸受円筒１２とにボルト１９を回動軸として貫通させ、該ボルト１９にナット２０を螺着して固定する。このようにしてテーブル本体２の回動軸は支柱３から外側に支腕１１の長さ分オフセットした位置に設定される。
【００１３】
上記テーブル１をアームレスト４に取付けるには、支柱嵌着筒６の取付けブラケット７のボルト孔８を介してアームレスト４のボルト孔２１にボルト２２を螺着することによって、該支柱嵌着筒６をアームレスト４の下側に取付け、該支柱嵌着筒６に支柱３を根端から挿入し、図３に示すように所定の位置において該支柱嵌着筒６のナット１０のボルト孔９に螺着したボルト２３を締付けて固定する。このように該支柱３は該支柱嵌着筒６内に摺動可能に嵌着され、任意の摺動位置で固定することが出来るから、テーブル本体２の前後位置を任意に調節することが可能である。
【００１４】
上記構成において、図５に示すテーブル１使用状態では、テーブル本体２の回動軸（ボルト１９）は支柱３よりも外側にオフセットした位置に設定されているから、テーブル本体２下面は回動軸内側位置で支柱３によって支持される。そして該テーブル本体２のコップ立て孔部１６には例えばコップ２４や缶２５を嵌着支持せしめることが出来、またテーブル本体２上には弁当等の品物を載せることが出来る。テーブル不使用状態では図５、図６矢印イに示すようにテーブル本体２を上方へ回動させ、図６に示すように跳ねのけ状態にすると、使用者が車椅子に前から乗降する際、該テーブル本体２が干渉しなくなる。
【００１５】
上記実施例では支柱３を角パイプ状にしたが、図７に示すように支柱３Ａを丸パイプ状にしてもよい。この場合にはそれに対応して支柱嵌着筒６Ａも円筒形状に設定する。なお該支柱嵌着筒６Ａには前実施例と同様ボルト孔８Ａを有する取付けブラケット７Ａが差出されるが、本実施例では該支柱３Ａの側面に複数のボルト孔２６Ａを列設し、該ボルト孔２６Ａのうちの一つを選んで該支柱嵌着筒６Ａのナット１０Ａのボルト孔９Ａにボルト２３Ａを螺着し、かつ該ボルト孔２６Ａに該ボルト２３Ａ先端を挿入する。
【産業上の利用可能性】
【００１６】
本発明では、車椅子にテーブルを取付けるようにしたから該テーブル上にコップ、缶等の品物を載せることが出来、したがって産業上利用可能である。
【図面の簡単な説明】
【００１７】
図１〜図６は本願発明の一実施例を示すものである。
【図１】分解斜視図
【図２】支柱嵌着筒取付け説明斜視図
【図３】テーブル取付け状態上面側説明斜視図
【図４】テーブル取付け状態裏面側説明斜視図
【図５】テーブル使用状態正面図
【図６】テーブル跳ねのけ状態正面図
【図７】他の実施例の分解斜視図
【符号の説明】
【００１８】
１            テーブル
２            テーブル本体
３，３Ａ      支柱
４            アームレスト
５            側フレーム
６，６Ａ      支柱嵌着筒
７，７Ａ      取付けブラケット
８，８Ａ      ボルト孔
９，９Ａ      ボルト孔
１０，１０Ａ  ナット
１１          軸受筒支腕
１２          軸受円筒（軸受筒）
１３          切れ込み
１４，１５    軸受
１６          コップ立て孔部
１７，１８    ワッシャ
１９          ボルト（回動軸）
２０          ナット
２１          ボルト孔
２２          ボルト
２３，２３Ａ  ボルト
２４          コップ
２５          缶
２６Ａ        ボルト孔
【図１】
2007068826.tif 000003
【図２】
2007068826.tif 000004
【図３】
2007068826.tif 000005
【図４】
2007068826.tif 000006
【図５】
2007068826.tif 000007
【図６】
2007068826.tif 000008
【図７】
2007068826.tif 000009